(57)【要約】【課題】軸部の小型化、ひいては建造物全体の小型化を図ることができる上、中途の階をも回転可能な回転建造物を有する建造物を提供する。【解決手段】上方へと突出する突出部分２０を備えた固定建造部４ａと、突出部分２０に嵌装された状態で固定建造部４ａ上に載置され、鉛直方向に沿った軸３０を中心として回転可能な回転建造部５ａとを積層してなる回転建造物２ａと、固定建造部４ａと連結された共用部６とを備える。そして、水道やガスといった配管設備等が必要なキッチン、バス、トイレ等といった機能を固定建造部４ａに設置するとともに、配管を共用部６へと導くように設ける。【選択図】図２
2006328868.tif 000002
【特許請求の範囲】
【請求項１】
上方へと突出する突出部分を備えた固定建造部と、前記突出部分に嵌装された状態で前記固定建造部上に載置され、鉛直方向に沿った回転軸を中心として回転可能な回転建造部と、該回転建造部を回転させるために前記固定建造部と回転建造部との間に設置される駆動手段とを少なくとも一組備えてなる回転建造物と、前記固定建造部と連結された共用部とを有することを特徴とする建造物。
【請求項２】
回転建造物において、固定建造部と回転建造部とを交互に積層するとともに、前記回転建造物を支持するために前記固定建造部同士を連結する支持体を設けたことを特徴とする請求項１に記載の建造物。
【請求項３】
一の共用部に対して複数の回転建造物を備えたことを特徴とする請求項１または２に記載の建造物。
【請求項４】
一の共用部に対して、固定建造部と回転建造部とを交互に積層してなる二の回転建造物を備えるとともに、回転建造物同士において、固定建造部と回転建造部との位置を互い違いとしたことを特徴とする請求項１に記載の建造物。
【請求項５】
回転建造部と共用部との間に、前記回転建造部と共用部とを仕切るブロック壁を設けたことを特徴する請求項３または４に記載の建造物。
【請求項６】
固定建造部と回転建造部との間に、下方へと立設されたガード板、及び該ガード板の下端を差し込み可能で、液体によって前記ガード板との隙間を塞いだ溝を設けるとともに、Ｕ字部にて前記固定建造部と前記回転建造部との間の隙間を塞ぐＵ字状部材を設けたことを特徴とする請求項１〜５のいずれかに記載の建造物。
【発明の詳細な説明】
【技術分野】
【０００１】
本発明は、家屋やビル等の建造物に関するものである。
【背景技術】
【０００２】
従来より、回転可能な建造物の一種として、たとえば特許文献１に記載されているようなものが知られている。特許文献１に記載されている回転建造物は、建造物本体の下面に断面Ｕ字状のレールを円周状に設ける一方、支持台の上面に複数の車輪を円周状に設置したものである。そして、レールを複数の車輪に係合させた状態で、建造物本体を支持台上に支持することで、建造物本体を回転可能としている。
【０００３】
しかしながら、特許文献１の回転建造物では、地震や強風に対する耐性や建造物本体の暖房効率に係る問題を抱えていた。そこで、出願人は、該問題を解決可能な回転建造物として、特許文献２に記載したような回転建造物を提案した。
【０００４】
【特許文献１】特開２００１−０２０３８４号公報
【特許文献２】特開２００４−３６０３２６号公報
【０００５】
ここで、特許文献２に記載の回転建造物６１について図７を基に説明する。図７は、回転建造物６１の鉛直断面を示した説明図である。
回転建造物６１は、本体建造部６３に設けられた突出部分６５を軸として、回転建造部６４を回転可能に支持したものであって、回転建造部６４の下面には複数のレール６６、６６・・が設置されている。一方、本体建造部６３には、複数の車輪６７、６７・・が設置されており、該車輪６７、６７・・に回転建造部６４のレール６６、６６・・を載置した状態となっている。
【発明の開示】
【発明が解決しようとする課題】
【０００６】
上記特許文献２に記載の構成とすることにより、耐性や暖房効率に係る問題は解決された。しかしながら、水道設備等に必要となる配管設備の都合上、キッチンやトイレ・バスといった機能を本体建造部６３の突出部分６５（すなわち、軸部）内に集約しなければならない。したがって、軸部に広いスペースが必要となることから、回転建造物６１全体の大型化を招き、現実的でない・実用性に乏しいといった問題が生じる。
また、該回転建造物６１の高層化を図り、高層マンション等に適用したとしても、回転しない本体建造部６４の上方から回転建造部６４を被せるといった構成となっているため、最上階及びその下数階を同期した状態でしか回転させることができない。したがって、最上階においてのみしか回転を体験することができないため、趣向性に乏しく、中途階であっても回転を体験することが可能な回転建造物の実現が望まれている。
【０００７】
そこで、本発明は、上記問題に鑑みなされたものであって、軸部の小型化、ひいては建造物全体の小型化を図ることができる上、中途の階をも回転可能な回転建造物を有する建造物を提供しようとするものである。
【課題を解決するための手段】
【０００８】
上記課題を達成するために、請求項１に記載の発明は、上方へと突出する突出部分を備えた固定建造部と、前記突出部分に嵌装された状態で前記固定建造部上に載置され、鉛直方向に沿った回転軸を中心として回転可能な回転建造部と、該回転建造部を回転させるために前記固定建造部と回転建造部との間に設置される駆動手段とを少なくとも一組備えてなる回転建造物と、前記固定建造部と連結された共用部とを有することを特徴とする。
請求項２に記載された発明は、請求項１の発明において、回転建造物において、固定建造部と回転建造部とを交互に積層するとともに、前記回転建造物を支持するために前記固定建造部同士を連結する支持体を設けたことを特徴とする。
請求項３に記載された発明は、請求項１または２の発明において、一の共用部に対して複数の回転建造物を備えたことを特徴とする。
請求項４に記載された発明は、請求項１の発明において、一の共用部に対して、固定建造部と回転建造部とを交互に積層してなる二の回転建造物を備えるとともに、回転建造物同士において、固定建造部と回転建造部との位置を互い違いとしたことを特徴とする。
請求項５に記載された発明は、請求項３または４の発明において、回転建造部と共用部との間に、前記回転建造部と共用部とを仕切るブロック壁を設けたことを特徴する。
請求項６に記載された発明は、請求項１〜５のいずれかの発明において、固定建造部と回転建造部との間に、下方へと立設されたガード板、及び該ガード板の下端を差し込み可能で、液体によって前記ガード板との隙間を塞いだ溝を設けるとともに、Ｕ字部にて前記固定建造部と前記回転建造部との間の隙間を塞ぐＵ字状部材を設けたことを特徴とする。
【発明の効果】
【０００９】
本発明によれば、上方へと突出する突出部分を備えた固定建造部と、突出部分に嵌装された状態で固定建造部上に載置され、鉛直方向に沿った回転軸を中心として回転可能な回転建造部と、回転建造部を回転させるために固定建造部と回転建造部との間に設置される駆動手段とを少なくとも一組備えてなる回転建造物と、固定建造部と連結された共用部とを有しているため、回転建造物から配管設備等を共用部へと導くことにより、中途階をそれよりも上方の階とは独立して容易に回転させることができる。
また、配管設備等が必要なキッチンやトイレ、バスといった機能を固定建造部に設けることができるため、従来の建造物と比較して、突出部分の広さを小スペース化することができ、ひいては、建造物全体の大きさのコンパクト化を図ることができる。したがって、実現性・実用性を向上させることができる上、回転の際に必要となるコストを従来よりも低く抑えることができる。
さらに、請求項２の発明によれば、回転建造物において、固定建造部と回転建造部とを交互に積層するとともに、回転建造物を支持するために固定建造部同士を連結する支持体を設けている。したがって、回転建造部と共用部との間にたとえ２〜３ｍ程度の隙間が設けられていたとしても、非常時等には、回転建造部から固定建造部と共用部との連結部分の上面を通って共用部へと避難可能となっており、防災性にも富む上、回転建造物を高層化したとしても十分な耐性を備えさせることができる。
またさらに、請求項３の発明によれば、一の共用部に対して複数の回転建造物を備えているため、共用部をより効率良く利用可能であり、建造物全体の小スペース化を図ることができる。
さらにまた、請求項４の発明によれば、一の共用部に対して、固定建造部と回転建造部とを交互に積層してなる二の回転建造物を備えるとともに、回転建造物同士における固定建造部と回転建造部との位置関係を互い違いとしている。したがって、たとえば共用部と連通する側の回転建造物の利用者が、そのフロアをより広く利用できるとともに、プライバシーの確保・防犯性の向上といった効果を期待することができる、といった合理的な建造物を提供することができる。
また、請求項５の発明によれば、回転建造部と共用部との間に、回転建造部と共用部とを仕切るブロック壁を設けているため、プライバシーの確保・防犯性の向上といった効果を一層期待することができる。
加えて、請求項６の発明によれば、固定建造部と回転建造部との間に、下方へと立設されたガード板、及び該ガード板の下端を差し込み可能で、液体によってガード板との隙間を塞いだ溝を設けるとともに、Ｕ字部にて固定建造部と回転建造部との間の隙間を塞ぐＵ字状部材を設けているため、固定建造部と回転建造部との間からの外気の侵入（隙間風等）を確実に防止することができる。したがって、暖房効率が非常に良い。
【発明を実施するための最良の形態】
【００１０】
以下、本発明の建造物の一実施形態を、図面に基づいて詳細に説明する。
【００１１】
図１は、本発明に係る建造物の部分正面図であり、図２は、本発明に係る建造物の鉛直断面を示した部分断面図である。図３（ａ）は、本発明に係る建造物の奇数階の水平断面を示した説明断面図であり、図３（ｂ）は、偶数階の水平断面を示した説明断面図である。
【００１２】
建造物１は、２棟の円柱状の回転建造物２、２（２ａ、２ｂ）と、該回転建造物２、２間に設けられ、エレベータ３１、３１や階段３２、後述する配管室３３等を備えた共用部６とからなるものである。本実施例において、各回転建造物２は、固定建造部４と回転建造部５とからなるユニット３、３・・を積層したメゾネットプランの住宅用建造物であり、共用部６の各階におけるフロアは、玄関１３と連通した側のユニット３の居住者に主に利用される。尚、回転建造物２ａにおけるユニット３ａでは、奇数階が共用部６（フロア）に連通した玄関１３を有する固定建造部４ａ、偶数階（固定建造部４ａの上方）が回転建造部５ａとなっている。一方、建造物２ｂにおけるユニット３ｂでは、偶数階が玄関１３を有する固定建造部４ｂ、奇数階（固定建造部４ｂの下方）が回転建造部５ｂとなっている。
【００１３】
ここで、回転建造物２ａのユニット３ａについて説明する。尚、回転建造物２ａにおいてユニット３ａ、３ａ・・は全て同様の構成を有している。
ユニット３ａは、上述の如く固定建造部４ａの上方に回転建造部５ａが設置された２階建て構造となっている。固定建造部４ａは、軸３０を中心として略円周状に立設された外壁１４内に居住空間１５を形成したものであって、該居住空間１５には、共用部６（フロア）に通じる玄関１３に加え、キッチン、バス、トイレ等といった配管・配管設備（水道やガス）を必要とする機能が設けられている。尚、各配管は、玄関１３脇等から、共用部６に設けられた配管室３３内へと導かれており、該配管室３３を通して供給源（図示しない）に連結される。尚、１１、１２は、それぞれ固定建造部４ａの天井、床である。
【００１４】
さらに、固定建造部４ａの略中央部には、軸３０を中心として略円周状に立設された内壁１６が、建造物２ａの一階から最上階までユニット３ａ、３ａ・・を貫通した状態で設けられている。したがって、該内壁１６は、建造物２ａ本体を支持する支持体としての機能も有している。また、内壁１６内（後述する突出部分２０内）には、各ユニット３ａ間を仕切るための仕切壁１８が設けられている。さらに、内壁１６内（突出部分２０内）には、固定建造部４ａと回転建造部５ａとを結ぶ階段１７が内壁１６内面に沿って設けられている。尚、内壁１６の固定建造部４ａよりも上方へと突出する部分を、突出部分２０とする。
【００１５】
このような固定建造部４ａの上方に、ドーナツ状に形成された回転建造部５ａが突出部分２０に嵌装された状態で設置されており、軸３０を中心として回転可能となっている。該回転建造部５ａは、略円周状に形成された外壁２１と内壁１６（突出部分２０）との間に居住空間２２を形成したものであって、該居住空間２２には、ベッドルームや書斎、テラス等といった機能が設けられている。また、回転建造部５ａは、共用部６との間に、所定間隔（約２〜３ｍ程度）の隙間を有する構造となっており、共用部６に拘束されることなく回転可能となっている。尚、共用部６の回転建造部５ａ側には、非常時の出入り口３４を備えたブロック壁３４が設けられている。そして、非常時等には、固定建造部４ａに設けられた玄関１３と共用部６とをつなぐポーチ等（共用部６との連結部分）の天井上面を通って、回転建造部５ａから共用部６（フロア）へと避難できるようになっている。また、２３、２４は、それぞれ回転建造部５ａの天井、床である。
【００１６】
さらに、回転建造部５ａの床２４と固定建造部４ａの天井１１との間に収納空間４０が設けられており、該収納空間４０内に回転建造部５ａを回転させるための駆動機構（駆動手段）４１が設置されている。駆動機構４１は、軸３０を中心とした円周上に配置される複数の外側車輪４２、４２・・と、該外側車輪４２の駆動源となるギアードモータ４３、４３・・と、軸３０を中心とした円周上で外側車輪４２、４２・・よりも内側に設置される複数の内側車輪４４、４４・・と、外側車輪４２、４２・・と係合する外側レール４５と、内側車輪４４、４４・・と係合する内側レール４６とからなる。尚、各外側車輪４２、ギアードモータ４３、及び内側車輪４４は、収納空間４０内に円板状に突設されたコンクリート壁１９上面に設置され、外側レール４５及び内側レール４６は回転建造部５ａの床２４下面に設置される。
【００１７】
ここで、図４を基に、駆動機構４１について詳述する。図４は、駆動機構４１を示した拡大説明図である。
床２４下面には、軸３０を中心とした同心円状に外側レール４５及び内側レール４６が、床２４下面から垂れ下がった状態で設置されている。該外側レール４５及び内側レール４６は、鉄道等に利用される断面Ｉ字状のレールであって、図４に示す如く、それぞれＨ鋼４７を介して床２４下面に固着されている。尚、外側レール４５とＨ鋼４７とのジョイント部分には、多数の縦長な歯を等間隔で連続的に外向きに突設した金属製のラック４８が固着されており、後述するように各ギアードモータ４３のピニオン４９と噛合した状態となっている。
【００１８】
一方、コンクリート壁１９上面において、外側レール４５及び内側レール４６に対応する同心円周上（軸３０を中心とした）には複数の外側車輪４２、４２・・及び内側車輪４４、４４が固着されている。外側車輪４２及び内側車輪４４は、それぞれ軸３０を中心とした円の接線方向に沿って回転自在となっており、その回転軸はベアリング部材５０、５０によって支持されている。また、各外側車輪４２の内側には、各ユニット３ａ毎に設置される制御装置（図示せず）によりその駆動を制御されるギアードモータ４３が隣接して設置されており、該ギアードモータ４３の支軸の上端際には、ラック４８と噛合する歯車状のピニオン４９が備えられている。
【００１９】
また、外側車輪４２の更に外側（コンクリート壁１９上面の外周縁）には、溝５１が周設されている。該溝５１には、床２４下面から下方へと垂設された鉄製のガード板５３の先端が差し込まれているとともに、溝５１とガード板５３との隙間を埋めるべく不凍液（液体）が満たされている。さらに、固定建造部４ａの外壁１４と回転建造部５ａの外壁２１との隙間を塞ぐように、外壁１４（２１）の外側で下方へとＵ字状に湾曲されたＵ字部を有するＵ字状部材５２が取り付けられており、不凍液を満たされた溝５１、ガード板５３、及びＵ字状部材５２により、固定建造部４ａと回転建造部５ａとの間の隙間を塞いで、外気の侵入を阻止している。尚、溝５１、ガード板５３、及びＵ字状部材５２は、各ユニット３ａ間（回転建造物２ａでは、一のユニット３ａの回転建造部５ａと、その上方に位置する他のユニット３ａの固定建造部４ａとの間）にも設けられており、各ユニット３ａ間に形成される隙間を塞いでいる。
【００２０】
以上のように構成される駆動機構４１によれば、外側レール４５を、ラック４８を各ピニオン４９に噛合させた状態で外側車輪４２、４２・・上に、内側レール４６を内側車輪４４、４４上にそれぞれ係合させることで、回転建造部５ａを固定建造部４ａ上で回転可能に支持することができる。そして、制御装置による制御のもと、ギアードモータ４３、４３・・を駆動させ、軸３０を中心とした円周上に設置される外側車輪４２、４２・・を同期させて（同じ方向に同じ速度で）回転させることにより、回転建造部５ａを固定建造部４ａ上で任意の方向へと回転させることができる。すなわち、回転建造部５ａ内の居住空間２２にて回転を体験することができる。
【００２１】
次に、回転建造物２ｂにおけるユニット３ｂについて説明する。
ユニット３ｂは、上述の如く固定建造部４ｂの下方に回転建造部５ｂを設置した２階建て構造である。該ユニット３ｂにおける固定建造部４ｂ及び回転建造部５ｂの構成は、ユニット３ａの固定建造部４ａ及び回転建造部５ａと略同様であって、固定建造部４ｂは玄関１３等を通じて共用部６に連通した状態（連結状態）で設けられている。また、回転建造部５ｂは、共用部６との間に所定間隔の隙間を有した状態で設置されており、共用部６に拘束されることなく回転可能となっている。
【００２２】
一方、ユニット３ａとユニット３ｂとは、駆動機構４１の設置位置が異なっている。ユニット３ｂにおける駆動機構４１は、図２に示されているように、一のユニット３ｂ内の固定建造部４ｂと回転建造部５ｂとの間ではなく、一のユニット３ｂの回転建造部５ｂと、その下方に位置する他のユニット３ｂの固定建造部４ｂとの間に形成される収納空間内に設置されている。すなわち、回転建造物２ｂにおいても、固定建造部４ｂ（他のユニット３ｂ）上で、回転建造部５ｂ（一のユニット３ｂ）が回転可能に支持されており、ユニットという見方をしなければ、回転建造物２ａ側と同様の構成となっている。
そして、制御装置（図示しない）による制御のもと、軸３０を中心として、回転建造部５ｂを固定建造部４ｂの下方で任意の方向へと回転させることができる。
尚、駆動機構４１の構成（回転等に係る構成）や、溝やガード板等による外気の侵入を防ぐ構成等は、ユニット３ａの構成と同様である。
【００２３】
以上のように構成される建造物１によれば、固定建造部４（４ａ、４ｂ）と回転建造部５（５ａ、５ｂ）とを積層した回転建造物２（２ａ、２ｂ）、及び固定建造部４とのみ連結された共用部６を備えているため、回転建造物２の配管設備等を共用部６へと導くことにより、中途階をそれよりも上方の階とは独立して回転させることができる。
【００２４】
また、配管設備等が必要なキッチンやトイレ、バスといった機能を固定建造部４の居住空間１５内に設けることができるため、従来の建造物と比較して、内壁１６内（軸部）を小スペース化することが可能であり、ひいては、建造物全体の大きさのコンパクト化を図ることができる。したがって、実現性・実用性を向上させることができる上、回転の際に必要となるコスト（ギアードモータ等の駆動に係るコスト）を従来よりも低く抑えることができる。
【００２５】
さらに、上述の如きユニット３ａとユニット３ｂとを組み合わせる（すなわち、二棟の回転建造物２、２において、固定建造部４及び回転建造部５の位置を互い違いとする）とともに、回転建造部５と共用部６との間にブロック壁３４を設けた建造物１とすることにより、共用部６と連通する側の居住者が、そのフロアをより広く利用できるとともに、プライバシーの確保・防犯性の向上といった効果を期待することができる、といった合理的な建造物を提供することができる。
【００２６】
さらにまた、固定建造部４と回転建造部５とを交互に積層しているため、回転建造部５と共用部６との間に２〜３ｍ程度の隙間が設けられていたとしても、非常時等には、回転建造部５から固定建造部４と共用部６とを連通する玄関１３やポーチの天井上面を通って共用部６へと避難可能であり、防災性にも富む。
【００２７】
加えて、固定建造部４と回転建造部５との間に、Ｕ字部にて隙間を塞ぐように形成されたＵ字状部材５２を設置するとともに、外壁よりも内側に不凍液を満たした溝５１及び該溝５１に差し込まれたガード板５３を周設しているため、固定建造部４と回転建造部５との間からの外気の侵入（隙間風等）を確実に防止することができる。したがって、暖房効率が非常に良い。
【００２８】
尚、本発明の建造物の構成は、上述したような実施の形態の態様に何ら限定されるものではなく、固定建造部、回転建造部、ユニット、共用部、内壁、外壁、駆動手段、支持体、ガード部材、液体等の形状・構造に係る構成を、本発明の趣旨を逸脱しない範囲で、必要に応じて適宜変更することができる。
【００２９】
たとえば、上記建造物は、住宅用の建造物に特化されることはなく、展示会場用やイベント会場用等の建造物にも当然適用することができる。また、上記実施の形態では、回転建造物全体を貫通するように内壁を設けることで、内壁に支持体としての機能を備えさせているが、内壁を貫通するように設けるのではなく、内壁の更に内側（軸）に回転建造物全体を貫通するような円柱状の支持体を設ける構成や、外壁よりも外部に固定建造部同士を連結するような支持体を設ける構成とすることも可能である。
【００３０】
さらに、上記実施の形態の如く、一の共用部に対して、二棟の回転建造物を隣設した建造物とするのではなく、共用部を有した一棟の建造物であってもよい。逆に、一の共用部に対して三棟以上の回転建造物を隣設するような建造物とすることも当然可能である。ここで、図５を基に、四棟の回転建造物２ｃ〜２ｆと共用部６’とからなる建造物１’について説明する。図５は、建造物１’の奇数階の水平断面を示した説明断面図である。
【００３１】
建造物１’は、フロアや配管室３３’等を有する共用部６’と、回転建造物２ａと同様に構成される（すなわち、奇数階が共用部６’のフロアと連通した固定建造部となる）回転建造物２ｃ、２ｆと、回転建造物２ｂと同様に構成される（すなわち、奇数階が回転建造部となる）回転建造物２ｄ、２ｅとからなる。
共用部６’の略中央には吹き抜け５７が設けられており、建造物２ｃ、２ｄ側と建造物２ｅ、２ｆ側とを分けた状態となっている。尚、各回転建造物のユニット等の構成は、対応する上記実施の形態のユニット等の構成と同様であり、回転建造部が任意に回転可能となっている。
【００３２】
以上のような構成としても、共用部６’と連通する回転建造物の居住者が、そのフロアをより広く利用できる上、プライバシーの確保・防犯性の向上といった効果を期待することができる。さらに、一の共用部６’に対して四棟の回転建造物２ｃ〜２ｆを隣設するため、建造物１の大きさのコンパクト化をも図ることができる、といった極めて合理的な建造物とすることができる。
また、吹き抜け５７に床板を設置すれば、たとえば回転建造物２ｃと回転建造物２ｆとを行き来可能な構成とすることができ、各回転建造物間の移動をスムーズに行えるようになることから、建造物１’を展示会場やイベント会場等として好適に利用することができる。すなわち、汎用性の高い建造物１’とすることができる。
【００３３】
一方、上記実施の形態の如く、固定建造部と回転建造部とを交互に積層するのではなく、固定建造部の上に一の回転建造部を設け、さらにその上に一の回転建造部とは独立して回転可能な別の回転建造部を設けることも可能である。また、たとえば二階建ての固定建造部や回転建造部（この場合、回転建造部の各階は同期して回転することになる）といったように、複数階を有する固定建造部や回転建造部としても何ら問題はない。
【００３４】
また、回転建造部を回転させるための制御装置は、たとえば住人等によって自由に操作可能（すなわち、いつでもに任意の方向へと回転可能とする）としてもよいし、自動で制御する（たとえば、定められた時刻に定められた方向へと１周する等）ようにしてもよい。
さらに、内壁（突出部分）の内部に、トイレや洗面所等の配管設備等を必要とする構成を備えることは当然可能である。したがって、たとえば上記実施の形態の回転建造物２ａにおいて、偶数階の内壁内にトイレ等を設置しても何ら問題はない。
【００３５】
さらにまた、回転建造物の安定性や横揺れに対する耐性等を高めるべく、図６に示すような支持機構５５を設置するようにしてもよい。
ここで、支持機構５５について説明する。支持機構５５は、回転建造部５の上面と固定建造部４の下面との間に設置されるものであって、垂直軸を軸として回転可能な支持車輪５６を備えた支持車輪装置と、該支持車輪５６に係合可能で、回転建造部の軸を中心として周設された支持レール５７とからなる。支持車輪装置は、上記実施の形態における内側車輪等と同様、回転建造部５の回転軸を中心とした同心円周上に複数設置されている。一方、支持レール５６は、回転建造部５の上面と固定建造部４の下面との間で、内壁１６から円板状に突設されたコンクリート壁１９に周設される。
【００３６】
以上のような支持機構５５を設置することにより、各ユニットの上面を支持機構５５で押さえつけるように支持した構成となるため、強風を受けた場合や地震の際でも、駆動機構等における車輪とレールとの係合が外れたりしない（すなわち、横揺れや縦揺れに対する耐性を向上させることができる）し、建造物を高層化した場合であっても建造物の安定性を極めて高いものとすることができる。
【００３７】
加えて、固定建造部と回転建造部との間に、天井裏又は床下へと通じる開口部（通常時には扉等により閉ざされていても良い）を設けることも可能である。該構成を採用することにより、たとえば、溝内に満たされている液体の状態（たとえば、漏れたり、減ったりしていないか等）を容易に調べることができるし、上述の如く支持機構を設けた場合、支持機構の設置位置の微調整等も容易となる。
【図面の簡単な説明】
【００３８】
【図１】建造物の部分正面図である。
【図２】建造物の鉛直断面を示した部分断面図である。
【図３】建造物の水平断面を示した説明断面図であり、（ａ）は奇数階を、（ｂ）は偶数階をそれぞれ示したものである。
【図４】駆動機構を示した拡大説明図である。
【図５】建造物の奇数階の水平断面を示した説明断面図である。
【図６】回転建造部の回転を支持する支持機構を示した説明断面図である。
【図７】従来の回転建造物の鉛直断面を示した説明図である。
【符号の説明】
【００３９】
１、１’・・建造物、２（２ａ〜２ｆ）・・回転建造物、３（３ａ、３ｂ）・・ユニット、４（４ａ、４ｂ）・・固定建造部、５（５ａ、５ｂ）・・回転建造部、６、６’・・共用部、１１・・天井、１２・・床、１３・・玄関、１４・・外壁、１５・・居住空間、１６・・内壁、１７・・階段、１８・・仕切板、１９・・コンクリート壁、２０・・突出部分、２１・・外壁、２２・・居住空間、２３・・天井、２４・・床、３０・・軸、３１・・エレベータ、３２・・階段、３３、３３’・・配管室、３４・・ブロック壁、４０・・収納空間、４１・・駆動機構、４２・・外側車輪、４３・・ギアードモータ、４４・・内側車輪、４５・・外側レール、４６・・内側レール、４７・・Ｈ鋼、４８・・ラック、４９・・ピニオン、５０・・ベアリング部材、５１・・溝、５２・・Ｕ字状部材、５３・・ガード板、５７・・吹き抜け。
【図１】
2006328868.tif 000003
【図２】
2006328868.tif 000004
【図３】
2006328868.tif 000005
【図４】
2006328868.tif 000006
【図５】
2006328868.tif 000007
【図６】
2006328868.tif 000008
【図７】
2006328868.tif 000009